【事件の表示】
　平成　７年特許願第１２５６０４号「補間画像データ生成装置および方法」拒絶査定不服審判事件〔平成　８年１１月２９日出願公開、特開平　８−３１７３３６〕について、次のとおり審決する。
【結　論】
　本件審判の請求は、成り立たない。
【理　由】
　
第一　経緯
　
１．手続
　本願は、平成７年４月２７日（先の出願（特願平７−８２１０９号）に基づく優先権主張：平成７年３月１５日）の出願である。
　本件は、本願についてされた拒絶査定（平成１６年９月１７日付け）を不服とする平成１６年１０月２８日の審判の請求であり、請求後、手続補正書（平成１６年１１月２６日付け、明細書及び図面について請求の日から３０日以内にする補正）が提出された
　
（２）査定
　原査定の理由は、概略、下記のとおりである。
　　　　　記（査定の理由） 
　本願各発明（請求項１から請求項１０までに係る各発明）は、下記刊行物に記載された発明及び周知技術に基づいて当業者が容易に発明をすることができたものであるから、特許法第２９条第２項の規定により、特許を受けることができない。 
　　　　　記 
　刊行物１：特開平６−７８２６５号公報 
　刊行物２：特開平６−１２１２７１号公報
　刊行物３：特開昭６３−２９４０８５号公報
　
第二　本願発明
　
　平成１６年１１月２６日付けの補正は、誤記の訂正に相当するものとして認める。
　本願の請求項１から請求項１０までに係る各発明は、本願明細書および図面（平成１６年３月２６日付けおよび平成１６年１１月２６日付けの手続補正書により補正された明細書および図面）の記載からみて、それぞれ、その特許請求の範囲の請求項１から請求項１０までに記載したとおりの「補間画像データ生成装置および方法」であると認められるところ、そのうち、請求項１に係る発明（本願発明）は下記のとおりのものである。 
　　　　　記（請求項１に係る発明） 
　インターレース走査により得られ、奇数行の画素からなる奇数フィールド画像と偶数行の画素からなる偶数フィールド画像とが交互に繰返される一連の画像データのうちから連続する第１、第２および第３のフィールド画像データが与えられたときに、上記第１フィールド画像と上記第３フィールド画像との間にある上記第２フィールド画像をフレーム画像に変換するために、第２フィールドが奇数フィールドの場合には偶数行の画素を、第２フィールドが偶数フィールドの場合には奇数行の画素を表わす補間画像データを生成する装置であり、
　垂直方向に長い長方形または正方形のウィンドウの大きさを設定する設定手段、
　上記第１フィールド画像上および上記第３フィールド画像上の対応する位置にそれぞれ設定された上記ウィンドウ内の画像の間に動きがあるかどうかを検出する動き検出手段、
　上記動き検出手段により動きがあることが検出されたときには、上記ウィンドウ内の画素に対応する位置の画素の画像データを、その画素の上下方向に隣接する第２フィールドの画素の画像データにもとづいて生成する第１の補間画像データ生成手段、ならびに上記動き検出手段により動きがないことが検出されたときには、上記ウィンドウ内の画素に対応する位置の画素の画像データを、上記第１フィールド画像および上記第３フィールド画像の少なくとも一方の画像における対応する画素の画像データにもとづいて生成する第２の補間画像データ生成手段、
　を備えた補間画像データ生成装置。
　
第三　査定の検討
　
１．刊行物の記載 
　原査定の拒絶の理由に引用された刊行物１（特開平６−７８２６５号公報）には、「撮像装置」（発明の名称）に関し、以下の記載がある。 
　　（ア）「本発明は撮像装置に監視、特に、静止画を撮像する撮像装置において好適なものである。」（段落0001）
　　（イ）「上記固体撮像素子３としては、図８の構成図に示すインターラインＣＣＤが最もよく用いられる。なお、図８（ａ）は奇数フィールド読み出しを説明する図であり、（ｂ）は偶数フィールドの読み出しを説明する図である。図８において、２０１は光を電荷に変え与えられるフォトダイオードを示し、２０２は上記フォトダイオード２０１から読み出した電荷を垂直方向に１水平期間に１段シフトする垂直ＣＣＤを示している。」（段落0005）
　　（ウ）「【作用】本発明は少なくとも２つの連続する同一フィールドの画像情報から被写体の動きを検出し、動きのあった部分については、単一フィールドの画像情報のみからフレーム画像を形成することで、同一フレーム内における露光蓄積時間にずれが生じることがなくなり、被写体が動いたときに輪郭がギザギザしたり、２重になったりする不都合が防止される。」（段落0023）
　　（エ）「【実施例】以下、本発明の撮像装置の一実施例を図面を参照して説明する。
　図１は、本発明の一実施例を示すフレーム静止画構成回路のブロック図、図２はフレーム静止画構成回路３０１を配設した撮像装置のブロック図である。
　フレーム静止画構成回路３０１は、２フィールドの画像データから１フレームの高画質な静止画を構成するための回路であり、図２から明らかなように、データ圧縮回路７の前段に追加される。
　次に、フレーム静止画構成回路３０１の構成を図１に従って説明する。図１において、３０２、３０３、３０４は連続する３フィールドの画像データをそれぞれ記憶する第１フィールドメモリ回路、第２フィールドメモリ回路、第３フィールドメモリ回路である。なお、第１フィールドが奇数フィールドであれば、第２フィールドは偶数フィールド、第３フィールドは奇数フィールドとなり、第１フィールドメモリと第３フィールドメモリには連続する同一フィールドの画像データが記憶されることになる。」（段落0024〜段落0026）
　　（オ）「次いで、３０５、３０６、３０７はブロック化回路であり、第１フィールドメモリ回路３０２、第２フィールドメモリ回路３０３、第３フィールドメモリ回路３０４の画像データを、例えば縦横１６画素ずつのブロックに分割する機能を有している。」（段落0027）
　　（カ）「３０８は動き検出回路であり、第１フィールドメモリ回路３０２と第３フィールドメモリ回路３０４に格納された画像を比較することによって、分割されたブロック中に動きがあったか否かを検出する。
　また、３０９は補間回路であり、第１フィールドメモリ回路３０２に格納された画像データから第２フィールドに相当する走査線のデータを補間して生成するためのものである。補間の方法としては、例えば隣接する２つの走査線のデータの平均値を補間データとして求める方法等がある。」（段落0028）
　　（キ）「３１０はスイッチであり、動き検出回路３０８によって動きが検出されたブロックに関しては、第２フィールドを構成するデータとして補間回路３０９の出力を用い、動きが検出されなかったブロックに関しては第２フィールドのデータを用いるように切り換えるためのものである。この切り換え動作は、動き検出回路３０８によって制御されるようになされている。
　３１１はフレーム情報合成回路であり、第１フィールドの画像データと第２フィールドの画像データとからフレームの画像データを合成するためのものである。これにより、例えば縦１６画素×横１６画素のブロックであれば、縦３２画素×横１６画素のデータブロックが合成される。その際、第２フィールドのデータとして、動きがあると判定されたブロックでは第１フィールドから補間したデータが用いられる。また、動きがないと判定されたブロックでは第２フィールドのデータが供給されるようにスイッチ３１０によって切り換えられる。３１２はブロック情報合成回路であり、複数のブロックに分割されたデータから１フレームの画像データを合成するためのものである。」（段落0029、段落0030）
 　 
２．対比 
　本願発明と刊行物１に記載された発明とを対比すると、次の対応関係が認められる。 
　（ａ）補間画像データを生成する装置、補間画像データ生成装置
　（ａ１）インターレース走査、フィールドの行数
　刊行物１では、固体撮像素子３としてインターラインＣＣＤを用い、奇数フィールドと偶数フィールドとを交互に読み出しを行なう（記載イ、図８）。また、奇数行（奇数番目の行）の画素からなるフィールドを奇数フィールド画像と称し、偶数行（偶数番目の行）の画素からなるフィールドを偶数フィールド画像と称することは、一般である。
　刊行物１では、本願発明にいう「インターレース走査により得られ、奇数行の画素からなる奇数フィールド画像と偶数行の画素からなる偶数フィールド画像とが交互に繰返される一連の画像データ」を対象とすることが記載されている。
　（ａ２）フレーム画像に変換
　刊行物１のフレーム静止画構成回路３０１は、連続する３フィールドの画像データをそれぞれ第１フィールドメモリ回路３０２、第２フィールドメモリ回路３０３、第３フィールドメモリ回路３０４に記憶し、このうちの２フィールドの画像データから１フレームの高画質な静止画を構成する回路である（記載エ）。
　刊行物１では「第１フィールド」がフレームデータを構成しようとするフィールド（以下、フレーム構成フィールド）であり、本願発明の「第２フィールド」に対応させることができることは、後記のとおりである（（ｄ）（ｅ））。
　刊行物１のフレーム静止画構成回路３０１は、本願発明にいう「一連の画像データのうちから連続する第１、第２および第３のフィールド画像データが与えられたときに、（上記第１フィールド画像と上記第３フィールド画像との間にある）上記第２フィールド画像をフレーム画像に変換する（ために、）」との動作を行なうものである。
　もっとも、本願発明では、フレーム構成フィールド（第２フィールド）が、連続する３つのフィールドの中間のフィールド（「第１フィールド画像と第３フィールド画像との間」）であるのに対して、刊行物１では、連続する３つのフィールドの最初のフィールドであり、相違が認められる。ただ、この相違点は、後述する、動き検出手段に係る相違点（検出対象となるフィールドの相違）と関連するものである。
　（ａ３）補間画像データの行
　刊行物１では、奇数フィールド画像と偶数フィールド画像とが交互に繰返される一連の画像データの連続する３フィールドのデータをそれぞれ３つのメモリ回路に記憶し、記憶した第１フィールド（第１フィールドメモリ回路３０２）について、フレームデータを構成するところ、その第１フィールドについては、「なお、第１フィールドが奇数フィールドで
あれば、
　他方、奇数フィールドは偶数行を欠くフィールドであり偶数フィールドは奇数行を欠くフィールドであることに照らせば、フレームデータを構成するフィールドが奇数フィールドであればその欠如している偶数行を補間する必要があり、フレームデータを構成するフィールドが偶数フィールドであればその欠如している奇数行を補間する必要があることは、当然のことである。
　刊行物１には、本願発明にいう「第２フィールドが奇数フィールドの場合には偶数行の画素を、第２フィールドが偶数フィールドの場合には奇数行の画素を表わす補間画像データを生成する」に相当する構成の開示が認められる。
　（ａ４）生成する装置、生成装置
　本願発明の「補間画像データを生成する装置」と「補間画像データ生成装置」とは同一の事項を表現したものであることは、本願明細書の全記載からみて、明らかである。
　（ａ５）小括
　以上によれば、刊行物１のフレーム静止画構成回路３０１は、本願発明にいう「インターレース走査により得られ、奇数行の画素からなる奇数フィールド画像と偶数行の画素からなる偶数フィールド画像とが交互に繰返される一連の画像データのうちから連続する第１、第２および第３のフィールド画像データが与えられたときに、（上記第１フィールド画像と上記第３フィールド画像との間にある）上記第２フィールド画像をフレーム画像に変換するために、第２フィールドが奇数フィールドの場合には偶数行の画素を、第２フィールドが偶数フィールドの場合には奇数行）の画素を表わす補間画像データを生成する装置」に相当する。
　他方、前記のとおりの相違も認められる。
　（ｂ）設定手段
　本願発明の「垂直方向に長い長方形または正方形のウィンドウの大きさを設定する」は、「垂直方向に長い長方形」および「正方形」のうちいずれか一方のみを選択することを含む記載である。
　刊行物１には、ブロック化回路３０５、３０７、３０９は、第１フィールドメモリ回路３０２、第２フィールドメモリ回路３０３、第３フィールドメモリ回路３０４の画像データを、例えば、縦横１６×１６画素ずつのブロックに分割する機能を有する（記載オ、キ）。ここでの「縦横１６×１６画素ずつのブロック」が、本願発明の「正方形のウインドウ」に対応することは明らかである。刊行物１の各ブロック化回路は、「正方形のウィンドウを設定する設定手段」であると言うことができる。
　これにつき本願発明は「ウィンドウの大きさを設定する」としており、この点において、刊行物１とは相違が認められる。
　（ｃ）動き検出手段
　刊行物１の動き検出回路３０８は、第１フィールドメモリ回路３０２と第３フィールドメモリ回路３０４に格納された画像を比較することによって、分割されたブロック中に動きがあったか否かを検出する。
　刊行物１の動き検出回路３０８は、フレーム構成フィールドについて、「ウィンドウ内の画像の間に動きがあるかどうかを検出する動き検出手段」であると言うことができ、その点では本願発明と変わりがない。
　もっとも、以下のとおり相違が認められる。すなわち、
　刊行物１の「第１フィールド」および「第２フィールド」を、それぞれ、本願発明の「第２フィールド」および「第３フィールド」に対応させることができることは後記のとおりであるところ（（ｄ）（ｅ））、このようなフィールドの対応においては、フレーム構成フィールド（本願発明の第２フィールド、刊行物１の第１フィールド）の動きについて、本願発明では、フレーム構成フィールドの前後の各フィールド（連続する同一属性のフィールド）の間の動きを検出することになるのに対して、刊行物１では、フレーム構成フィールドと当該フレーム構成フィールドより２つ後のフィールドとの間（連続する同一属性のフィールド）の動きを検出することになる。
　（ｄ）第１の補間画像データ生成手段
　刊行物１では、第１フィールドのデータに基づき当該第１フィールドに対応するフレームのフレームデータを構成するに当たり、動きがあることが検出されたブロックに関しては、第１フィールドのデータに、補間回路３０９の出力（補間データ）を補間することにより、当該動きがあることが検出されたブロックのフレームデータを構成することとし（記載ア、カ、キ）、その際、隣接する２つの走査線のデータの平均値を補間データとすることが記載されている（記載カ）。
　ここで、刊行物１の補間回路３０９の出力は、隣接する２つの走査線（すなわち、上下方向の走査線）のデータから求められる値（例えば、平均値）であり、当該第１フィールドに対応するフレームのフレームデータを構成するための補間データとして用いられることから、補間回路３０９の動作は、本願発明にいう「ウィンドウ内の画素に対応する位置の画素の画像データを、その画素の上下方向に隣接する（第２フィールドの）画素の画像データにもとづいて生成する」に相当する。
　そうすると、刊行物１の「第１フィールド」を本願発明の「第２フィールド」に対応させることができ、結果、刊行物１の補間回路３０９は、本願発明にいう「上記動き検出手段により動きがあることが検出されたときには、上記ウィンドウ内の画素に対応する位置の画素の画像データを、その画素の上下方向に隣接する所定フィールドの画素の画像データにもとづいて生成する第１の補間画像データ生成手段」に相当する。
　（ｅ）第２の補間画像データ生成手段
　本願発明の「第１フィールド画像および第３フィールド画像の少なくとも一方の画像」は、「第１フィールド画像」と「第３フィールド画像」のうちいずれか一方のみを選択することを含む記載である。
　刊行物１では、動きがないことが検出されたブロックに関しては、第１フィールドのデータに、当該第１フィールドの次に続く第２フィールドのデータ（補間データ）を補間することにより、当該動きがないことが検出されたブロックのフレームデータを構成することが記載されている（記載ア、キ）。
　そうすると、刊行物１の「第２フィールド」を本願発明の「第３フィールド」に対応させることができ、刊行物１のこのような回路構成は、本願発明にいう「上記動き検出手段により動きがないことが検出されたときには、上記ウィンドウ内の画素に対応する位置の画素の画像データを、上記第１フィールド画像および上記第３フィールド画像の少なくとも一方の画像における対応する画素の画像データにもとづいて生成する第２の補間画像データ生成手段」において、「上記第１フィールド画像および上記第３フィールド画像の少なくとも一方の画像」として「第３フィールド」を選択した場合に相当する。
　 
３．一致点・相違点 
　本願発明と刊行物１に記載の発明との一致点および相違点は下記のとおりである。 
　　　　　記（一致点） 
　インターレース走査により得られ、奇数行の画素からなる奇数フィールド画像と偶数行の画素からなる偶数フィールド画像とが交互に繰返される一連の画像データのうちから連続する第１、第２および第３のフィールド画像データが与えられたときに、第２のフィールド画像をフレーム画像に変換するために、第２のフィールドが奇数フィールドの場合には偶数行の画素を、第２のフィールドが偶数フィールドの場合には奇数行の画素を表わす補間画像データを生成する装置であり、
　正方形のウィンドウを設定する設定手段、
　ウィンドウ内の画像の間に動きがあるかどうかを検出する動き検出手段、
　上記動き検出手段により動きがあることが検出されたときには、上記ウィンドウ内の画素に対応する位置の画素の画像データを、その画素の上下方向に隣接する第２フィールドの画素の画像データにもとづいて生成する第１の補間画像データ生成手段、ならびに上記動き検出手段により動きがないことが検出されたときには、上記ウィンドウ内の画素に対応する位置の画素の画像データを、上記第２フィールド画像の次のフィールド画像における対応する画素の画像データにもとづいて生成する第２の補間画像データ生成手段、
　を備えた補間画像データ生成装置。
　　　　　記（相違点） 
　〈相違点１〉
　本願発明では、設定手段が「ウインドウの大きさ」をも設定するのに対して、刊行物１には、そのような記載がない点。
　〈相違点２〉
　本願発明では、「第２フィールド」は「第１フィールド画像と第３フィールド画像との間にある」フィールドであり、「第１フィールド画像と第３フィールド画像との間に動き」を検出するのに対して、刊行物１では、「第２フィールド」は連続する３つのフィールドの最初のフィールドであり、「第２フィールドと第２フィールドより２つ後のフィールドとの間」の動きを検出する点。
　
４．相違点等の判断 
　（ａ）相違点１について 
　刊行物１には、その正方形のウインドウ（ブロック）の大きさにつき「例えば縦横１６画素ずつ」とあるように「縦横１６×１６画素」は一例を示すものといえ、「縦横１６×１６画素」以外にも任意に設定し得ることが示唆されているといえる。他方、正方形のウインドウの大きさは「縦横１６×１６画素」に限るとする格別の事情もない。
　相違点１に係る構成は、刊行物１において、その正方形のブロックの大きさを適宜設定することにより、当業者が容易になし得ることである。
　（ｂ）相違点２について
　現フィールド（現フレーム）における動きベクトルを求める手法には、現フィールド（現フレーム）の前後の同じ属性のフィールド（フレーム）から求めること、現フィールド（現フレーム）とこれに隣接する同じ属性のフィールド（フレーム）から求めること、があることは周知の事項であり、等しく採用されるものであり、その採用は、当業者が適宜選択する事項である。
　これには、特開平５−９５５４５号公報（段落0075、図６、図７）、特開平７−４６４５７号公報（図２、段落0042）、特開平３−２１６０７９号公報などが参照される。
　相違点２に係る構成は、刊行物１において、その動き検出回路３０８の検出手法に上記周知の事項を参照することにより、当業者が容易になし得ることである。
　（ｃ）効果等について
　本願発明の効果をみても、刊行物１の記載および上記周知の事項から予測できる範囲内のものである。
　
５．まとめ 
　以上、本願発明は、刊行物１に記載された発明および周知技術に基づいて当業者が容易に発明をすることができたものである。 
　
第四　むすび
　
　以上、本願の請求項１に係る発明は、刊行物１に記載された発明および周知技術に基づいて当業者が容易に発明をすることができたものであるから、特許法第２９条第２項の規定により特許を受けることができない。 
　したがって、残る請求項２から請求項１０までに係る各発明について特に検討をするまでもなく、本願は拒絶をすべきものである。 
　よって、結論のとおり審決する。